(57)【要約】【課題】電熱ロッドから発生する熱が被施術者の皮膚に与える悪影響を防止するためのパーマネント用断熱パッドを提供することを課題とする。【解決手段】電熱ロッド１を被施術者Ｐの頭髪Ｈに巻き付けることにより行なう、パーマネントウェーブ処理に用いるパーマネント用断熱パッド２において、被施術者Ｐの頭部に巻き付けるためのバンド部２１と、バンド部２１に取り付けられたパッド部２２とを備え、パッド部２２は、柔軟性及び断熱性を有する素材からなるものであって、頭髪Ｈを巻いた状態の電熱ロッド１と、被施術者Ｐの皮膚との間に配位されるものであることを特徴とするパーマネント用断熱パッドを提供する。これにより、電熱ロッド１から発生する熱が被施術者Ｐの皮膚に与える、不快感や火傷などの悪影響を防止することができる。【選択図】          図２
2005000355.tif 000002
【特許請求の範囲】
【請求項１】
電源接続時に加熱する電熱ロッド（１）を被施術者（Ｐ）の頭髪（Ｈ）に巻き付けることにより行なう、パーマネントウェーブ処理に用いるパーマネント用断熱パッド（２）において、
被施術者（Ｐ）の頭部に巻き付けるためのバンド部（２１）と、
バンド部（２１）に取り付けられたパッド部（２２）とを備え、
パッド部（２２）は、柔軟性及び断熱性を有する素材からなるものであって、頭髪（Ｈ）を巻いた状態の電熱ロッド（１）と、被施術者（Ｐ）の皮膚との間に配位されるものであることを特徴とするパーマネント用断熱パッド。
【請求項２】
バンド部（２１）は、被施術者（Ｐ）の頭部の額と後頭部とを通るように周回して取り付けられるものであり、
パッド部（２２）は、バンド部（２１）に取り付けるための取付部（２３）と、取付部（２３）に延設された襟足対応部（２４）と、襟足対応部（２４）に延設された肩対応部（２５）とを有するものであり、
バンド部（２１）を頭部に巻き付けた際において、パッド部（２２）の襟足対応部（２４）及び肩対応部（２５）が、バンド部（２１）から被施術者（Ｐ）の襟足及び肩の部分へと垂れるように配位されることを特徴とする、請求項１に記載のパーマネント用断熱パッド。
【請求項３】
バンド部（２１）は、被施術者（Ｐ）の頭部の額と後頭部とを通るように周回して取り付けられるものであり、
パッド部（２２）は、バンド部（２１）の表面に複数取り付けられた小片であるか、あるいは一体の帯状のものであり、
バンド部（２１）を頭部に巻き付けた際において、パッド部（２２）を頭部を基準として外側方向に折り曲げることによって庇部（２２ａ）を形成し、この庇部（２２ａ）に電熱ロッド（１）を配位可能であることを特徴とする、請求項１に記載のパーマネント用断熱パッド。
【請求項４】
バンド部（２１）に、柔軟性を有する素材からなる耳当て部（２６）を取り付けたものであり、
バンド部（２１）を頭部に巻き付けた際に、耳当て部（２６）を被施術者（Ｐ）の耳に当接可能であることを特徴とする、請求項１から３のいずれかに記載のパーマネント用断熱パッド。
【請求項５】
電源接続時に加熱する電熱ロッド（１）を被施術者（Ｐ）の頭髪（Ｈ）に巻き付けることにより行なう、パーマネントウェーブ処理に用いるパーマネント用断熱パッド（２）において、
被施術者（Ｐ）の頭部に巻き付けるためのバンド部（２１）と、
バンド部（２１）に取り付けられたパッド部（２２）とを備え、
パッド部（２２）は、柔軟性及び断熱性を有する素材からなるものであって、頭髪（Ｈ）を巻いた状態の電熱ロッド（１）と、被施術者（Ｐ）の皮膚との間に配位されるものであり、
パッド部（２２）には、固定部（２３ａ）と非固定部（２３ｂ）とが設けられ、固定部（２３ａ）は、バンド部（２１）に対して取り付けられる部分であり、
固定部（２３ａ）と非固定部（２３ｂ）とが、バンド部（２１）の長手方向に沿って交互に設けられたものであることを特徴とするパーマネント用断熱パッド。
【発明の詳細な説明】
【０００１】
【発明の属する技術分野】
本願発明は、パーマネント用断熱パッドに関するものである。より詳しくは、美容室などにおけるパーマの施術時に、電熱ロッドから発生する熱が被施術者の皮膚に与える悪影響を防止するためのパーマネント用断熱パッドに関するものである。
【０００２】
【従来の技術】
本願出願人は、本明細書に記載すべき先行技術文献情報を持たない。
【０００３】
一般的にヘアースタイルは、人の印象を左右する大変重要な要素中の一つであり、特に女性の場合は、ヘアースタイルを装ったり変更したりする為には、多くの時間と苦労を要する。
このようなヘアースタイルは、顔の形態などによって、これに合う形態に変更をして、自身の姿を演出することができるようにしているが、このようなヘアースタイルの変更を行なう代表的な例は、頭髪をカットして長さを調整したり、又は、ウェーブを形成する方法が最も多く利用されており、近日は頭髪を染色したり脱色する方法が多く用いられている。
【０００４】
ヘアースタイルを変更することの中で、パーマ、即ち、パーマネントウェーブ処理は、何種類かに分類することができるが、大きく分類するなら下記のようになる。第１は、被施術者Ｐの頭髪にパーマ液（１剤）を塗布した状態でパーマロッド（以下、ロッドという）に頭髪を巻き付けた後、適当時間経過後に中和剤（２剤）を塗布してウェーブを形成する方法である。この方法の場合には、ロッド自体は発熱しない中空等のロッドに頭髪を巻き付け、促進機等の外部加熱装置によって熱を加えて、パーマ液の反応を促進すると共に頭髪の乾燥を行うものである。
第２は、水分がある状態の頭髪を電熱ロッドで巻き付けた後、熱を発生させて水分を蒸発させ、ウェーブを形成するというものである。この第２の方法は、電源接続時に熱が発生可能な発熱部材を内部に備えた電熱ロッドに頭髪を巻き付け、ロッド自体が発熱する点に特徴がある。
【０００５】
図７には、従来のパーマ方式中、第２の場合において、パーマを実施する場合が図示されている。図示されたように、まず、少量の頭髪Ｈを整然と整えた後、この頭髪Ｈに適当量のカーリング剤を塗布する。次に、ロッドペーパー（図示されていない）等をあてがい、このロッドペーパーとともに頭髪Ｈを円筒形の物品である電熱ロッド１０１の外周面１１１に必要な長さだけ巻き付けた後、電熱ロッド１０１の両端部分にある切欠部１１２に輪ゴムを引掛け、頭髪Ｈを電熱ロッド１０１に固定する。
この状態から、電熱ロッド１０１に電源を連結させることにより、内部の発熱装置によって熱を発生させ、頭髪Ｈを乾燥させる。そして、所定時間経過後には、電熱ロッド２の外形の屈曲に応じたウェーブが頭髪Ｈに形成される。
【０００６】
上記に示した第１、第２のパーマ方式は一長一短があるが、第１の方法では、加熱のための熱源が頭部より離れた位置にあるのに対して、第２の方法では、頭部の直近のロッドが発熱すると言った基本的な相違がある。
ここで、上記第２のパーマ方式の場合には、頭部の直近に配位される電熱ロッドが熱源となるため、電熱ロッドから発生する熱が被施術者に悪影響を与えるという問題点があった。
【０００７】
具体的には、この第２のパーマ方式において、特に被施術者の頭髪が長い場合、頭髪に巻き付けた電熱ロッドが垂れ下がり、被施術者の頭部における襟足あるいは肩の部分の皮膚に触れ、不快感を与えたり火傷などをさせる恐れがあった。
そこで従来においては、電熱ロッドを上方から吊り下げることにより、被施術者の皮膚に触れないようにしたり、被施術者の皮膚にタオルを当てて対応していた。
しかし、電熱ロッドを吊り下げる方法では、被施術者が身動きのとりにくい状態となって、かえって不快感を感じさせることがあった。また、タオルを当てる方法では、被施術者が動いた際にタオルが落ちてしまうことがあり扱い難かった。
【０００８】
【発明が解決しようとする課題】
本願発明は、上記従来の問題点を解決するために発明されたものであり、電熱ロッドから発生する熱が被施術者の皮膚に与える悪影響を防止するためのパーマネント用断熱パッドを提供することを課題とする。
【０００９】
【課題を解決するための手段】
上記の課題を解決するために、本願の請求項１に記載の発明は、電源接続時に加熱する電熱ロッド１を被施術者Ｐの頭髪Ｈに巻き付けることにより行なう、パーマネントウェーブ処理に用いるパーマネント用断熱パッド２において、被施術者Ｐの頭部に巻き付けるためのバンド部２１と、バンド部２１に取り付けられたパッド部２２とを備え、パッド部２２は、柔軟性及び断熱性を有する素材からなるものであって、頭髪Ｈを巻いた状態の電熱ロッド１と、被施術者Ｐの皮膚との間に配位されるものであることを特徴とするパーマネント用断熱パッドを提供する。
【００１０】
また、本願の請求項２に記載の発明は、上記請求項１に記載の発明において、バンド部２１は、被施術者Ｐの頭部の額と後頭部とを通るように周回して取り付けられるものであり、パッド部２２は、バンド部２１に取り付けるための取付部２３と、取付部２３に延設された襟足対応部２４と、襟足対応部２４に延設された肩対応部２５とを有するものであり、バンド部２１を頭部に巻き付けた際において、パッド部２２の襟足対応部２４及び肩対応部２５が、バンド部２１から被施術者Ｐの襟足及び肩の部分へと垂れるように配位されることを特徴とするパーマネント用断熱パッドを提供する。
なお、本明細書においての「襟足」という表現とは、一般に意味する「首筋における頭髪の生え際」という意味よりもやや広く、首筋の後部をも含んだものである。
【００１１】
また、本願の請求項３に記載の発明は、上記請求項１に記載の発明において、バンド部２１は、被施術者Ｐの頭部の額と後頭部とを通るように周回して取り付けられるものであり、パッド部２２は、バンド部２１の表面に複数取り付けられた小片であるか、あるいは一体の帯状のものであり、バンド部２１を頭部に巻き付けた際において、パッド部２２を頭部を基準として外側方向に折り曲げることによって庇部２２ａを形成し、この庇部２２ａに電熱ロッド１を配位可能であることを特徴とするパーマネント用断熱パッドを提供する。
【００１２】
また、本願の請求項４に記載の発明は、上記請求項１から３のいずれかに記載の発明において、バンド部２１に、柔軟性を有する素材からなる耳当て部２６を取り付けたものであり、バンド部２１を頭部に巻き付けた際に、耳当て部２６を被施術者Ｐの耳に当接可能であることを特徴とするパーマネント用断熱パッドを提供する。
【００１３】
また、本願の請求項５に記載の発明は、電源接続時に加熱する電熱ロッド１を被施術者Ｐの頭髪Ｈに巻き付けることにより行なう、パーマネントウェーブ処理に用いるパーマネント用断熱パッド２において、被施術者Ｐの頭部に巻き付けるためのバンド部２１と、バンド部２１に取り付けられたパッド部２２とを備え、パッド部２２は、柔軟性及び断熱性を有する素材からなるものであって、頭髪Ｈを巻いた状態の電熱ロッド１と、被施術者Ｐの皮膚との間に配位されるものであり、パッド部２２には、固定部２３ａと非固定部２３ｂとが設けられ、固定部２３ａは、バンド部２１に対して取り付けられる部分であり、固定部２３ａと非固定部２３ｂとが、バンド部２１の長手方向に沿って交互に設けられたものであることを特徴とするパーマネント用断熱パッドを提供する。
【００１４】
本願発明にあっては、頭髪Ｈを巻いた状態の電熱ロッド１と、被施術者Ｐの皮膚との間に柔軟性及び断熱性を有する素材からなるパッド部２２を配位することにより、電熱ロッド１から発生する熱が被施術者Ｐの皮膚に与える、不快感や火傷などの悪影響を防止することができる。
【００１５】
特に、本願の請求項２に記載の発明にあっては、パッド部２２が襟足対応部２４と肩対応部２５とを有するものであり、これらが、バンド部２１から被施術者Ｐの襟足及び肩の部分へと垂れるように配位されることにより、特に被施術者Ｐの頭髪Ｈが長い場合に、電熱ロッド１から発生する熱から被施術者Ｐの襟足及び肩の部分を有効に保護できる。
【００１６】
また、特に、本願の請求項５に記載の発明にあっては、バンド部２１を被施術者Ｐの頭部に巻き付けた際においても、非固定部２３ｂの部分において伸縮する余裕があるため、パッド部２２がバンド部２１の変形に追従し、パッド部２２を被施術者Ｐに対して無理なく取り付けることができる。
【００１７】
【発明の実施の形態】
以下、図面に基づき本願発明の実施の形態を説明する。
図１は、本願発明の実施の形態の第１実施例に係るパーマネント用断熱パッドの斜視説明図であり、図２は、同パーマネント用断熱パッドの使用状態を示す参考図である。図５は、本願発明の実施の形態の第２実施例に係るパーマネント用断熱パッドの斜視説明図であり、図６は、同パーマネント用断熱パッドの使用状態を示す参考図である。
なお、本願発明の説明にあっては、形状が異なるものであっても、同一の機能を有する部分については、特に区別を要する部分以外は同一の記号を付した。
【００１８】
まず本願発明において、パーマネント用断熱パッド２（以下、断熱パッド２と記す）と共に使用する電熱ロッド１について概略を述べる。この電熱ロッド１は、従来例として図７に示したものと同様の円筒状のものであり、外周面に被施術者Ｐの頭髪Ｈを巻き付けることができる。また、電熱ロッド１の端面には、電源が供給することのできるソケットが設けられており、電熱ロッド１の内部には電源接続時に発熱する電気ヒータなどの発熱部材が設けられている。よって、パーマ時にソケットを通じて電源を接続させることにより熱を発生させることができ、この熱が電熱ロッド１の外周面に伝達され、外周面に巻き付けられた頭髪Ｈに作用してウェーブさせることができる。
【００１９】
次に、図１及び図２に示す、第１実施例に係る断熱パッド２について述べる。本例の断熱パッド２は、バンド部２１とパッド部２２とから構成されており、図１に示すように前掛け状の形態を有し、特に被施術者Ｐの頭髪Ｈが長い場合に用いられるものである。
【００２０】
バンド部２１は帯状のものであり、被施術者Ｐの頭部に巻き付けるためのものである。このバンド部２１の端部には、ベルクロ（Ｖｅｌｃｒｏ）の登録商標で知られている面状ファスナ２１ａが設けられており、この面状ファスナ２１ａにより、バンド部２１を環状として、被施術者Ｐの頭部の大きさに適合させて取り付けることができる。このバンド部２１を環状とする手段としては、本例のような面状ファスナ２１ａに限られるものではなく、他形式のファスナやホックやボタンによるものや、紐によるものであっても良く、種々に変更して実施できる。
なお、本例におけるバンド部２１は、図２（Ｂ）に示すように、被施術者Ｐに対して、前方は額に、後方は後頭部に位置するように周回して取り付けられる。
【００２１】
また、本例におけるバンド部２１には、被施術者の耳に一致する位置に、耳当て部２６が設けられている。この耳当て部２６は、柔軟で適当な厚みを有するパッドであり、被施術者Ｐの耳を充分に覆うことのできる大きさのものである。バンド部２１を被施術者Ｐの頭部に取り付けた際において、この耳当て部２６を被施術者Ｐの両耳に当接させることにより、被施術者Ｐに対し与える圧迫感を軽減することができる。
本例においては、被施術者Ｐの耳に一致する位置にのみ、耳当て部２６としてのパッドを取り付けたものとしているが、これに限らず、例えば、額に一致する位置にパッドを設けたものとしても良く、このパッドの取り付けについては種々に変更して実施できる。
【００２２】
本例においては、パッド部２２を１枚の半円形状のものとしている。このパッド部２２は、取付部２３と、襟足対応部２４と、肩対応部２５を有するものである。
取付部２３はバンド部２１に取り付けられる部分である。本例の取付部分２３においては、図１に示すように、パッド部２２の素材が波状に弛ませられてバンド部２１に取り付けられている。この取り付け方法については、縫製や接着剤や熱溶着などによる接着等が可能であるが、具体的な方法は自由であり、適宜変更して実施することができる。また、面状ファスナなどを用いることにより、バンド部２１とパッド部２２とを、必要に応じて取り外し可能としても良い。
この弛ませてバンド部２１に取り付けた状態の取付部２３において、図３（Ａ）の断面視概略図に示したように、バンド部２１に対して取り付けられる部分が固定部２３ａであり、固定部２３ａ，２３ａ同士の間が非固定部２３ｂとなっている。よって、このように取付部２３を弛ませて取り付けることにより、バンド部２１を頭部に巻き付けた際においても、非固定部２３ｂの部分において伸縮する余裕があるため、パッド部２２がバンド部２１の変形に追従し、パッド部２２を被施術者Ｐに対して無理なく取り付けることができる。
なお、パッド部２２として伸縮性に富む素材を用いた場合では、取付部２３を図３（Ａ）に示したように弛ませずに、バンド部２１に対して密着するように取り付けても良い。
【００２３】
襟足対応部２４は取付部２３に延設され、肩対応部２５は襟足対応部２４に延設される部分である。つまり、帯状であるバンド部２１の少なくとも一方側に取り付けられたものであり、バンド部２１の短手方向の一方側方向に突出するように取り付けられたパッド部２２において、バンド部２１に近い側から順に、取付部２３、襟足対応部２４、肩対応部２５が連続して配位されたものである。
これにより、図２に示すように、バンド部２１を被施術者Ｐに対し、頭部の額と後頭部とを通るように周回して取り付けた際において、パッド部２２が被施術者Ｐの襟足及び肩へと垂れるように配位される。ここで、パッド部２２における襟足対応部２４が襟足に、肩対応部２５が肩にそれぞれ対応するようにして配位される。
【００２４】
ここで、パッド部２２は布などの繊維質やスポンジ質の素材で構成されたものであり、織地、編地、不織布が例示でき、また一層構造や多層構造など種々の構造で実施できる。このように構成されたパッド部２２は、被施術者Ｐに違和感を感じさせない程度の適切な柔軟性を有し、被施術者Ｐの襟足や肩の部分の皮膚に対して柔らかくフィットさせることができる。
また本例においては、肩対応部２５に切り込み２５ａが形成されている。これにより、図２（Ａ）に示すように、頭部にバンド部２１を巻き付けた際に、肩対応部２５が被施術者Ｐの肩に対して広がって配位されるため、肩対応部２５を肩の曲線に沿って配位することができ、良好なフィット性を有するものとできる。
【００２５】
また、上記に加えてこのパッド部２２は、電熱ロッド１から発生する熱を有効に遮断できる程度の断熱性を有する材質で構成される。具体的には、電熱ロッド１から発生する熱を反射させるか、あるいは吸収させることにより、パッド部２１における反対側の面まで極力伝達させない程度の断熱性を有するものである。
よって、図２に示すように、被施術者Ｐの襟足から肩にかけてパッド部２２を配位し、パッド部２２の表面側に電熱ロッド１を配位した場合であっても、電熱ロッド１から発生する熱を有効に遮断でき、熱が被施術者Ｐの皮膚に伝達されることを防止できる。
【００２６】
この第１実施例に係るパッド部２２の形態としては、上記に例示した形態の他に、図４に示すように、パッド部２２を複数枚数（図示したものは３枚）に分割した形態として、被施術者Ｐの身体に一致させるものとしても良い。
また、パッド部２２の裏面に間隙部材などを取り付けることにより、パッド部２２と被施術者Ｐの皮膚との間に間隙を設けたものとしても良い。これにより、断熱効果をさらに上げることができる。
【００２７】
次に、図５及び図６に示す、第２実施例に係る断熱パッド２について述べる。本例においては、パッド部２２が、略円形状などの形態を有する複数の小片であって、このパッド部２２を複数、バンド部２１に取り付けたものである。そして、この第２実施例におけるパッド部２２は、図６に示すようにバンド部２１を頭部に取り付けた際においても、第１実施例とは異なり、下方に垂れ下がらないものである。この第２実施例におけるパッド部２２の形態は、図５に示すような複数の小片からなるものに限られず、単一の帯状のものとしても良い。
本例におけるパッド部２２においても、図３（Ｂ）に示すように、バンド部２１に対して取り付けられる部分が固定部２３ａであり、固定部２３ａ以外が非固定部２３ｂとなっている。よって、バンド部２１を頭部に巻き付けた際においても、パッド部２２がバンド部２１の変形に追従し、パッド部２２を被施術者Ｐに対して無理なく取り付けることができる。この固定部２３ａは、図３（Ｂ）に示すようにパッド部２２の中央部に設けても、図３（Ｃ）に示すようにパッド部２２の端部に設けても良く、種々に変更して実施し得る。また、パッド部２２を単一の帯状とした場合においては、第１実施例における取付部２３と同様、図３（Ａ）に示すように、バンド部２１に対して弛ませて貼り付けても良い。
また、図５に示した断熱パッド２には、耳当て部２６は取り付けられていないが、第１実施例のように耳当て部２６を取り付けたものとしても良い。その他の点においても、第１実施例と同様、種々の形態に変更して実施できる。
【００２８】
この第２実施例に係る断熱パッド２は、図５（Ａ）に示すように、パッド部２２の外側に電熱ロッド１を当接させるようにして使用する。
また、図５（Ｂ）に示すように、パッド部２２の上部を、バンド部２１に対しての反対方向、つまり、頭部外側方向に折り曲げることにより庇部２２ａを形成し、この庇部２２ａに電熱ロッド１を載せるものとしても良い。このようにすることにより、電熱ロッド１の重量を庇部２２ａで受けることができ、頭髪Ｈに負担をかけないものとできる。
【００２９】
【発明の効果】
本願発明にあっては、頭髪を巻いた状態の電熱ロッドと、被施術者の皮膚との間に柔軟性及び断熱性を有する素材からなるパッド部を配位することにより、電熱ロッドから発生する熱が被施術者の皮膚に与える、不快感や火傷などの悪影響を防止することができる。
【００３０】
特に、本願の請求項２に記載の発明にあっては、パッド部が襟足対応部と肩対応部とを有するものであり、これらが、バンド部から被施術者の襟足及び肩の部分へと垂れるように配位されることにより、特に被施術者の頭髪が長い場合に、電熱ロッドから発生する熱から被施術者の襟足及び肩の部分を有効に保護できる。
【００３１】
また、特に、本願の請求項５に記載の発明にあっては、バンド部を被施術者の頭部に巻き付けた際においても、非固定部の部分において伸縮する余裕があるため、パッド部がバンド部の変形に追従し、パッド部を被施術者に対して無理なく取り付けることができる。
【図面の簡単な説明】
【図１】本願発明の実施の形態の第１実施例に係るパーマネント用断熱パッドの斜視説明図である。
【図２】同パーマネント用断熱パッドの使用状態を示す参考図であり、（Ａ）は被施術者における背面視、（Ｂ）は同側面視におけるものである。
【図３】バンド部に対するパッド部の取り付け状態を示す断面視の概略説明図であり、（Ａ）は第１実施例に係るもの、（Ｂ）及び（Ｃ）は第２実施例に係るものを示す。
【図４】本願発明の実施の形態の第１実施例に係るパーマネント用断熱パッドにおいて、パッド部の形態を変更したものを示す斜視説明図である。
【図５】本願発明の実施の形態の第２実施例に係るパーマネント用断熱パッドの斜視説明図である。
【図６】同パーマネント用断熱パッドの使用状態を示す参考図であり、（Ａ）はパッド部上に電熱ロッドを配位した状態を示し、（Ｂ）はパッド部に庇部を形成して庇部上に電熱ロッドを配位した状態を示す。
【図７】従来のパーマネントの方法を示した斜視説明図である。
【符号の説明】
１        電熱ロッド
２        パーマネント用断熱パッド
２１      バンド部
２２      パッド部
２２ａ    庇部
２３      取付部
２３ａ    固定部
２３ｂ    非固定部
２４      襟足対応部
２５      肩対応部
２６      耳当て部
Ｈ        頭髪
Ｐ        被施術者
【図１】
2005000355.tif 000003
【図２】
2005000355.tif 000004
【図３】
2005000355.tif 000005
【図４】
2005000355.tif 000006
【図５】
2005000355.tif 000007
【図６】
2005000355.tif 000008
【図７】
2005000355.tif 000009